(57)【要約】【課題】            応援される者や応援する者を鼓舞し、応援の効果を高めうる応援用打音器具を提供する。【解決手段】        応援用打音器具１は、打ちあわせることにより音を発生する発音管１１，１２を複数有する。前記発音管１１，１２には、それぞれ所定の周波数で気柱共鳴が発生するように大気に連通した共鳴気室Ｃ１，Ｃ２，Ｃ３，Ｃ４が設けられており、それぞれの共鳴気室の基本共鳴周波数Ｆ１，Ｆ２，Ｆ３，Ｆ４のうち一番低い第１周波数Ｆ１の音を根音として、二番目に低い第２周波数の音Ｆ２が、長３度の音程となるようにされている。三番目に低い第３周波数の音Ｆ３が、完全５度の音程となるようにされることが好ましい。【選択図】          図１
2015070986.tif 000002
【特許請求の範囲】
【請求項１】
打ちあわせることにより音を発生する発音管を複数有する応援用打音器具であって、
前記発音管には、それぞれ所定の周波数で気柱共鳴が発生するように大気に連通した共鳴気室が設けられており、
それぞれの共鳴気室の基本共鳴周波数のうち一番低い第１周波数の音を根音として、
それぞれの共鳴気室の基本共鳴周波数のうち二番目に低い第２周波数の音が、長３度の音程となるようにされた、
応援用打音器具。
【請求項２】
少なくとも３つの共鳴気室が設けられており、
それぞれの共鳴気室の基本共鳴周波数のうち一番低い第１周波数の音を根音として、
それぞれの共鳴気室の基本共鳴周波数のうち三番目に低い第３周波数の音が、完全５度の音程となるようにされた、
請求項１に記載の応援用打音器具。
【請求項３】
第１周波数の音を発する共鳴気室と、第２周波数の音を発する共鳴気室とが、互いに別の発音管に設けられた、
請求項１または請求項２に記載の応援用打音器具。
【請求項４】
第１周波数の音を発する共鳴気室が、ヘルムホルツ型レゾネータ又は１／４波長共鳴管とされた、
請求項１または請求項２に記載の応援用打音器具。
【請求項５】
打撃を加えると複数の発音管が互いに打ち合わせられるように、複数の発音管の端部を互いに接続した、
請求項１または請求項２に記載の応援用打音器具。
【請求項６】
１つの発音管に、複数の共鳴気室が設けられた、
請求項１または請求項２に記載の応援用打音器具。
【発明の詳細な説明】
【技術分野】
【０００１】
本発明は、スポーツなどの応援の際に使用する応援用の器具に関する。特に打ち合わせることにより音が発せられる応援用の打音器具に関するものである。
【背景技術】
【０００２】
野球やサッカーなどのスポーツ競技の応援において、あるいは、音楽会や集会等における応援の場面で、拍手に替えて、打音器具によって音を出して、応援を行なう場合がある。
【０００３】
例えば、特許文献１には、左右一対の拍子棒と、興趣性を高める意匠を施した中空カバー体とを備える応援用打ち鳴らし具が開示されており、当該応援用打ち鳴らし具によれば、マスコットなどの意匠部分の大きさの制約が緩和され、大きなマスコットを設けうることが開示されている。また、特許文献２には、１個の吹き口の前方に複数個の拡声筒を併設し、拡声筒を互いに打ち鳴らして打撃音を発生させることが出来るメガホンが開示されている。
【先行技術文献】
【特許文献】
【０００４】
【特許文献１】特開２００７−３３５０１号公報
【特許文献２】特開平８−５０４８８号公報
【発明の概要】
【発明が解決しようとする課題】
【０００５】
従来の応援用の打音器具においては、主に、携帯性や発音性、デザインに注意が払われており、発生する音の音程についての配慮はほとんどされていなかった。そのため、応援の場面で従来の打音器具が使用されても、大きな音で拍子がとられるものの、その音は雑多な音の集合にすぎなかった。従って、従来の応援用打音器具では、大きな音でエネルギーの大きさを表現することしか出来ず、競技者（応援される者）にとっても観戦者（応援する者）にとっても、応援の効果が限定的とならざるを得なかった。
【０００６】
本発明の目的は、応援される者や応援する者を鼓舞し、応援の効果を高めうる応援用打音器具を提供することにある。
【課題を解決するための手段】
【０００７】
発明者は、鋭意検討の結果、応援用打音器具に、異なる周波数の音を発生させる複数の共鳴気室を設け、それら共鳴気室から発生する音の周波数が特定の関係となるようにすると、応援用打音器具から発生する音が調和の取れた和音となって応援の効果が高まることを知見し、本発明を完成させた。
【０００８】
本発明は、打ちあわせることにより音を発生する発音管を複数有する応援用打音器具であって、前記発音管には、それぞれ所定の周波数で気柱共鳴が発生するように大気に連通した共鳴気室が設けられており、それぞれの共鳴気室の基本共鳴周波数のうち一番低い第１周波数の音を根音として、それぞれの共鳴気室の基本共鳴周波数のうち二番目に低い第２周波数の音が、長３度の音程となるようにされた、応援用打音器具である（第１発明）。
【０００９】
さらに、第１発明においては、少なくとも３つの共鳴気室が設けられており、それぞれの共鳴気室の基本共鳴周波数のうち一番低い第１周波数の音を根音として、それぞれの共鳴気室の基本共鳴周波数のうち三番目に低い第３周波数の音が、完全５度の音程となるようにされることが好ましい（第２発明）。
【００１０】
さらに、第１発明や第２発明においては、第１周波数の音を発する共鳴気室と、第２周波数の音を発する共鳴気室とが、互いに別の発音管に設けられることが好ましい（第３発明）。また、第１発明や第２発明においては、第１周波数の音を発する共鳴気室が、ヘルムホルツ型レゾネータ又は１／４波長共鳴管とされることが好ましい（第４発明）。また、第１発明や第２発明においては、打撃を加えると複数の発音管が互いに打ち合わせられるように、複数の発音管の端部を互いに接続することが好ましい（第５発明）。また、第１発明や第２発明においては、１つの発音管に、複数の共鳴気室が設けられることが好ましい（第６発明）。
【発明の効果】
【００１１】
第１発明や第２発明の応援用打音器具によれば、発音される応援の音がメジャー調の和音となって、応援される者や応援する者がより鼓舞されて、応援の効果が高められる。第２発明によれば、さらに完全５度音まで含んだ和音を発音することができ、より調和の取れた応援の音が発音されて、応援の効果がより高められる。
【００１２】
さらに、第３発明や第４発明のようにした場合には、応援用打音器具が大型化するのを効果的に抑制でき、応援用打音器具の操作性や携帯性を向上することもできる。また、第５発明の構成を取った場合には、応援用打音器具を片手で操作して発音することができるようになって、操作性が高められる。また、第６発明の構成とすれば、和音を構成する音を多数発音することができる。
【図面の簡単な説明】
【００１３】
【図１】第１実施形態の応援用打音器具の構成を示す一部断面図である。
【図２】第２実施形態の応援用打音器具の構成を示す一部断面図である。
【図３】第３実施形態の応援用打音器具の構成を示す一部断面図である。
【図４】第４実施形態の応援用打音器具の構成を示す一部断面図である。
【発明を実施するための形態】
【００１４】
以下図面を参照しながら、発明の実施形態について説明する。本発明は以下に示す個別の実施形態に限定されるものではなく、その形態を変更して実施することもできる。
【００１５】
図１に発明の第１実施形態の応援用打音器具１を示す。図では、部材の一部を断面で示している。
本実施形態では、応援用打音器具１は、一対の、すなわち２本の発音管１１，１２により構成されている。発音管１１，１２を互いに打ち合わせることにより、音が発生する。応援用打音器具１には、発音管以外の部分、例えば、装飾用のカバーや、取っ手などが設けられていても良い。また、発音管１１，１２を、ひもなどにより互いに接続するようにしても良い。
【００１６】
本実施形態の応援用打音器具１は、例えば、発音管１１、１２のそれぞれを両手に一本ずつ持って、発音管１１，１２を互いに打ち合わせて、応援の音を発音させるようにして使用できる。
【００１７】
応援用打音器具１や発音管１１，１２は典型的には合成樹脂により形成されるが、木材や紙、金属など、他の材料により形成されていても良い。本実施形態の応援用打音器具１は典型的には、ポリエチレン樹脂やポリプロピレン樹脂といった熱可塑性樹脂のブロー成形や射出成形により成形することが出来る。
【００１８】
発音管１１，１２は、中空の棒状に形成された管状の部分を有する部材である。発音管の管状の部分１１１，１１２，１２１，１２２は、管の内部空間が大気に連通するようにされて、所定の周波数で気柱共鳴が発生するような共鳴気室Ｃ１，Ｃ３，Ｃ２，Ｃ４を構成するようにされている。
なお、発音管には、管状でない部分、例えば中実板状の部分があっても良い。また、発音管の全体形状は、棒状に限定されず、例えば箱状、リング状などであっても良い。
【００１９】
本実施形態においては、第１の発音管１１において、第１共鳴気室Ｃ１と第３共鳴気室Ｃ３が設けられるように、管状部分１１１、１１２が設けられている。管状部分１１１，１１２は、一端が大気に開放し、他端が閉じた、円筒状の中空管に形成されており、管状部分１１１，１１２の内部空間が、それぞれ第１共鳴気室Ｃ１と第３共鳴気室Ｃ３になっている。また、管状部分１１１，１１２の閉じた側同士をつなぐように、板状部分１１３が設けられていて、全体として棒状の発音管１１が構成されている。
【００２０】
同様に、第２の発音管１２は、管状部分１２１、１２２とその間を接続する板状部分１２３により構成されており、管状部分１２１により第２共鳴気室Ｃ２が、管状部分１２２により第４共鳴気室Ｃ４が画成されている。
【００２１】
第１共鳴気室Ｃ１ないし第４共鳴気室Ｃ４は、それぞれ、共鳴気室の形状や容積等により定まる周波数で気柱共鳴する。それぞれの共鳴気室において、気柱共鳴は複数の周波数で発生しうる。それぞれの共鳴気室で発生する共鳴周波数のうち、最も低い共鳴周波数を、その共鳴気室の基本共鳴周波数と呼ぶ。即ち、第１共鳴気室Ｃ１、第２共鳴気室Ｃ２、第３共鳴気室Ｃ３、第４共鳴気室Ｃ４は、それぞれ、基本共鳴周波数Ｆ１，Ｆ２，Ｆ３、Ｆ４（Ｈｚ）で共鳴する。
【００２２】
本実施形態においては、各共鳴気室（Ｃ１〜Ｃ４）は、いわゆる１／４波長共鳴管の構成を有しており、共鳴気室の長さ（Ｌ１〜Ｌ４）が、音の波長の約１／４に一致するような周波数を基本共鳴周波数として共鳴する。共鳴気室の長さを調整することにより、基本共鳴周波数を調整することができ、共鳴気室の長さを短くしてやれば、基本共鳴周波数が高くなる。
【００２３】
それぞれの共鳴気室Ｃ１，Ｃ２，Ｃ３，Ｃ４において設定される基本共鳴周波数Ｆ１，Ｆ２，Ｆ３，Ｆ４の間の関係について、以下に説明する。
ここで、これら複数の基本共鳴周波数を、周波数が低い順に、第１周波数、第２周波数、第３周波数、第４周波数と呼ぶことにする。本実施形態では、共鳴気室Ｃ１〜Ｃ４の長さＬ１，Ｌ２，Ｌ３，Ｌ４が、Ｌ１＞Ｌ２＞Ｌ３＞Ｌ４となっているので、基本共鳴周波数はＦ１＜Ｆ２＜Ｆ３＜Ｆ４という大小関係になっている。従って、本実施形態においては、第１周波数は第１共鳴気室Ｃ１の基本共鳴周波数Ｆ１であり、第２周波数は第２共鳴気室Ｃ２の基本共鳴周波数Ｆ２であり、第３周波数は第３共鳴気室Ｃ３の基本共鳴周波数Ｆ３であり、第４周波数は第４共鳴気室Ｃ４の基本共鳴周波数Ｆ４である。
【００２４】
第１周波数（Ｆ１）の音を根音として、第２周波数（Ｆ２）の音が長３度の音程となるように、共鳴気室Ｃ１、Ｃ２が調整される。根音に対し長３度の音程になるとは、根音の周波数Ｆ１に対し、周波数Ｆ２が、Ｆ２＝１．２６＊Ｆ１  という関係を満たすことを言う。例えば、第１周波数の音が、ソ（Ｇ）の音程の音（例えば１９６Ｈｚ）である場合には、長３度の音程の第２周波数の音は、シ（Ｂ）の音程の音（例えば２４７Ｈｚ）である。あるいは、例えば、第１周波数の音が、ド（Ｃ）の音程の音（例えば２６２Ｈｚ）である場合には、長３度の音程の第２周波数の音は、ミ（Ｅ）の音程の音（例えば３３０Ｈｚ）である。なお、この関係には誤差が許容されうる。
【００２５】
共鳴気室が３つ以上ある場合には、さらに、第１周波数（Ｆ１）の音を根音として、第３周波数（Ｆ３）の音が完全５度の音程となるように、共鳴気室Ｃ１、Ｃ３が調整されることが好ましい。根音に対し完全５度の音程になるとは、根音の周波数Ｆ１に対し、周波数Ｆ３が、Ｆ３＝１．５０＊Ｆ１  という関係を満たすことを言う。例えば、第１周波数の音が、ソ（Ｇ）の音程の音（例えば１９６Ｈｚ）である場合には、完全５度の音程の第３周波数の音は、レ（Ｄ）の音程の音（例えば２９４Ｈｚ）である。あるいは、例えば、第１周波数の音が、ド（Ｃ）の音程の音（例えば２６２Ｈｚ）である場合には、完全５度の音程の第３周波数の音は、ソ（Ｇ）の音程の音（例えば３９２Ｈｚ）である。なお、この関係には誤差が許容されうる。
【００２６】
共鳴気室が４つ以上ある場合には、さらに、第１周波数（Ｆ１）の音を根音として、第４周波数（Ｆ４）の音が１オクターブ上の音程となるように、共鳴気室Ｃ１、Ｃ４が調整されることが好ましい。根音に対し音程が１オクターブ上であるとは、根音の周波数Ｆ１に対し、周波数Ｆ４が、Ｆ４＝２．００＊Ｆ１  という関係を満たすことを言う。例えば、第１周波数の音が、ソ（Ｇ）の音程の音（例えば１９６Ｈｚ）である場合には、１オクターブ上の音程の第４周波数の音は、高いソ（Ｇ）の音程の音（例えば３９２Ｈｚ）である。あるいは、例えば、第１周波数の音が、ド（Ｃ）の音程の音（例えば２６２Ｈｚ）である場合には、１オクターブ上の音程の第４周波数の音は、高いド（Ｃ）の音程の音（例えば５２４Ｈｚ）である。なお、この関係には誤差が許容されうる。
【００２７】
本実施形態においては、いずれの共鳴気室も内径３０ｍｍの１／４波長共鳴管に構成されていて、共鳴気室Ｃ１は長さＬ１＝４３２ｍｍで、基本共鳴周波数Ｆ１が１９６Ｈｚとなるようにされており、共鳴気室Ｃ２は長さＬ２＝３４０ｍｍで、基本共鳴周波数Ｆ２が２４７Ｈｚとなるようにされており、共鳴気室Ｃ３は長さＬ３＝２８４ｍｍで、基本共鳴周波数Ｆ３が２９４Ｈｚとなるようにされており、共鳴気室Ｃ４は長さＬ４＝２１１ｍｍで、基本共鳴周波数Ｆ４が３９２Ｈｚとなるようにされている。
【００２８】
上記実施形態の応援用打音器具の作用と効果を説明する。応援用打音器具１は、発音管１１、１２が互いに打ち付けられることにより、発音する。このとき、発せられる音は、それぞれの共鳴気室Ｃ１，Ｃ２，Ｃ３，Ｃ４の基本共鳴周波数Ｆ１，Ｆ２，Ｆ３，Ｆ４の音が顕著に発生する。上記実施形態においては、Ｆ１＝１９６Ｈｚ（ソ、Ｇ）を根音として、Ｆ２＝２４７Ｈｚ（シ、Ｂ）の長３度音、Ｆ３＝２９４Ｈｚ（レ、Ｄ）の完全５度音、Ｆ４＝３９２Ｈｚ（高いソ、Ｇ）のオクターブ音という複数の音が同時に発生することになる。すると、これらの音によって、ソ、シ、レという、いわゆるメジャーＧの和音になる。
【００２９】
根音と長３度音と完全５度音を組み合わせた和音は、いわゆるメジャーコードの和音であり、調和の取れた和音である。これに対し、根音と短３度音（長３度音よりも１／１２オクターブ分低い音）と完全５度音が組み合わせた和音は、いわゆるマイナーコードの和音である。
メジャーコードの和音は、マイナーコードの和音に比べ、和音の印象が明るく積極的な印象を与える。
【００３０】
従って、上記実施形態の応援用打音器具のように、根音と長３度音が同時に発せられるように、応援用打音器具を構成することにより、発せられる打音の音調が、メジャーコードの和音のように、より明るく、積極的、肯定的な印象となる。このような音調で応援の音が発音されることにより、応援を受ける競技者や、応援をする観戦者の気持ちがより鼓舞されて盛り上がるので、応援の効果が高められる。従来技術においては、音程についての配慮がされていなかったため、打音器具等による音は、雑多な周波数の音の集合に過ぎず、騒音のようなものであり、そのような音では、調和や集中、積極性、といった肯定的イメージが積極的に伝達されることは無かった。それに対し、根音と長３度音とを組み合わせて発音することにより、肯定的イメージを積極的に応援で伝えることができる。
【００３１】
根音に対する完全５度の音は、必須ではないが、完全５度の音も同時に発音されるようにされることが好ましい。長３度に加え完全５度の音も発音されると、和音がより明瞭な調和をもって響き、応援の効果がより高められる。なお、基本共鳴周波数で完全５度の音を発する共鳴気室（上記実施形態では共鳴気室Ｃ３）が存在していなくても、共鳴気室が単純な管状である場合には、根音を発する共鳴気室の２次や３次の共鳴周波数が根音のちょうど３倍の周波数となるため、完全５度音のちょうど１オクターブ上の音が発せられることなり、結果的にメジャーコードに近い和音の響きが得られる。
【００３２】
応援の心理的効果をより高めるためには、根音をソ（Ｇ）、あるいは、ド（Ｃ）として、応援用打音器具により、メジャーＧ（ソ、シ、レ）の和音や、メジャーＣ（ド、ミ、ソ）の和音が発音されるようにすることが特に好ましい。メジャーＧやメジャーＣの和音は、音楽でも明るい曲調の部分に多用されるコードであり、気持ちを明るくするという点で、特に選手や観客への心理的働きかけの効果が高く、応援の効果が高められる。
【００３３】
本実施形態においてそうであるように、第１周波数Ｆ１の音を発する共鳴気室Ｃ１と、第２周波数Ｆ２の音を発する共鳴気室Ｃ２とは、互いに別の発音管１１，１２に設けられることが好ましい。第１周波数や第２周波数は、複数ある共鳴気室の基本共鳴周波数の中でも１番あるいは２番目に低い周波数であるため、そのような音を発音する共鳴気室が大型化しやすい傾向にある。第１周波数の音を発する共鳴気室Ｃ１と、第２周波数の音を発する共鳴気室Ｃ２とが、互いに別の発音管に設けられていれば、それら共鳴室が長くなっても、応援用打音器具１としての全長を抑え、打音器具の携帯性や取り扱い性を高めることが出来る。
【００３４】
打音器具の携帯性や取り扱い性を高めるという観点からは、第１周波数の音を発する共鳴気室Ｃ１を、本実施形態のように、１／４波長共鳴管とするか、あるいは、後述する実施形態のようにヘルムホルツ型レゾネータとすることが好ましい。管の両側が開放された１／２波長共鳴管と比べて、管の一端が開放され他端が閉じられた１／４波長共鳴管は、同じ基本共鳴周波数に設定するための共鳴気室の全長が約半分になり、共鳴気室Ｃ１の全長、ひいては打音器具の全長を抑えることが出来る。ヘルムホルツ型レゾネータにすると、さらに、共鳴気室Ｃ１の全長が抑えられて好都合である。
【００３５】
また、本実施形態の応援用打音器具のように、１つの発音管に対して、複数の共鳴気室が設けられていることが好ましく、このようにされていると、共鳴気室の数を増やして、多数の音を同時に発音させて和音を発音させることが出来る。なお、多数の共鳴気室が存在する場合には、根音、長３度音、完全５度音、根音の１オクターブ上の音、長３度音の１オクターブ上の音、完全５度音の１オクターブ上の音などから、共鳴気室の基本共鳴周波数を選択することが、調和したメジャー調の和音を発音する上で好ましい。このとき、複数の共鳴気室で、同じ音を発音させるようにしても良い。
【００３６】
なお、根音（Ｆ１）や長３度音（Ｆ２）、完全５度音（Ｆ３）、根音の１オクターブ上の音（Ｆ４）といった音の音程の正確さの程度は、厳密にＦ２＝１．２６＊Ｆ１、Ｆ３＝１．５０＊Ｆ１、Ｆ４＝２．００＊Ｆ１といった関係を満たさなければならないわけではなく、多少の周波数のずれは許容される。目標とする周波数に対し、実際の周波数がプラスマイナス３％以内に入るようにすることが好ましく、実際の周波数がプラスマイナス１％以内に入るようにすることが特に好ましい。
【００３７】
本発明は、上記実施形態に限定されるものではなく、種々の改変をして実施することができる。以下に本発明の他の実施形態について説明するが、以下の説明においては、上記実施形態と異なる部分を中心に説明し、同様である部分についてはその詳細な説明を省略する。また、以下に示す実施形態は、その一部を互いに組み合わせて、あるいは、その一部を置き換えて実施できる。
【００３８】
図２には、第２実施形態の応援用打音器具２を示す。本実施形態においては、第１の発音管２１の全体が、両端が開放された円筒状の管状部分２１１とされており、管状部分２１１の内部が、いわゆる１／２波長共鳴管となるような共鳴気室Ｃ２となっている。１／２波長共鳴管は、共鳴気室の長さが、音の波長の約１／２に一致するような周波数を基本共鳴周波数として共鳴する。
また、第２の発音管２２は、一端が開放され他端が閉じられた円筒状の管状部分２２１、２２２により構成されており、管状部分２２１の内部が、いわゆる１／４波長共鳴管となるような共鳴気室Ｃ１に、管状部分２２２の内部が、いわゆる１／４波長共鳴管となるような共鳴気室Ｃ３になっている。
【００３９】
このように、共鳴気室は、両端が開放された管状の共鳴気室（典型的には１／２波長共鳴管）であっても良い。本実施形態においては、共鳴気室Ｃ１が内径３０ｍｍ、長さ２１１ｍｍの１／４波長共鳴管とされて、基本共鳴周波数Ｆ１が３９２Ｈｚ（ソ、Ｇ音）とされている。共鳴気室Ｃ２が内径３０ｍｍ、長さ３３０ｍｍの１／２波長共鳴管とされて、基本共鳴周波数Ｆ２が４９４Ｈｚ（シ、Ｂ音）とされている。共鳴気室Ｃ３が内径３０ｍｍ、長さ１３７ｍｍの１／４波長共鳴管とされて、基本共鳴周波数Ｆ３が５８７Ｈｚ（レ、Ｄ音）とされている。かかる構成により、本実施形態でも、メジャーＧの和音が発音され、応援の効果が高められる。
【００４０】
また、本実施形態においては、発音管２１は、押出成形された合成樹脂製の直管を所定の長さに切断して製造でき、発音管２２は、共鳴気室Ｃ１と共鳴気室Ｃ３の間の隔壁となる接続部材２２３を射出成形などにより形成し、接続部材２２３に所定長の合成樹脂製直管を接続一体化して製造できる。このように、発音管の具体的製造方法については、公知の製造技術を組み合わせて製造すればよい。
【００４１】
図３には、第３実施形態の応援用打音器具３を示す。本実施形態における第１の発音管３１には、２つの共鳴気室Ｃ１、Ｃ３が設けられている。共鳴気室Ｃ１は、いわゆるヘルムホルツ型レゾネータとなっており、比較的太く形成された容積部と比較的細く形成された連通部とが組み合わされ、容積部の空気が連通部を通じて外気と出入りする構成を有している。共鳴気室Ｃ３は、いわゆる１／４波長共鳴管とされている。また、第２の発音管３２には、共鳴気室Ｃ２が設けられており、共鳴気室Ｃ２はいわゆる１／４波長共鳴管とされている。
【００４２】
本実施形態においては、共鳴気室Ｃ１の基本共鳴周波数Ｆ１が２６２Ｈｚ（ド、Ｃ音）に、共鳴気室Ｃ２の基本共鳴周波数Ｆ２が３３０Ｈｚ（ミ、Ｅ音）に、共鳴気室Ｃ３の基本共鳴周波数Ｆ３が３９２Ｈｚ（ソ、Ｇ音）に設定されており、かかる周波数設定により、他の実施形態と同様に応援の効果が高められる。
【００４３】
なお、本実施形態のように、共鳴気室の具体的構成をいわゆるヘルムホルツ型レゾネータにすると、共鳴気室の全長を短くすることが出来るので、応援用打音器具をよりコンパクトで、携帯性や取扱い性に優れたものとすることが出来る。また、１つの発音管に複数の共鳴気室が設けられる場合には、第１実施形態や第２実施形態のように、共鳴気室を直列に並べても良いし、本実施形態のように、共鳴気室を並列に並べても良い。共鳴気室を並列に並べると、応援用打音器具の全長を抑え、携帯性や取扱い性に優れたものとすることが出来る。
【００４４】
また、応援用打音器具の全長を抑え、携帯性や取扱い性を向上させるという観点からは、１／２波長共鳴管や１／４波長共鳴管のような共鳴気室を、直線状に設けるのではなく、折り曲げた屈曲形状や巻いた形状に設けることも、好ましい形態である。
【００４５】
図４には、第４実施形態の応援用打音器具４を示す。本実施形態においては、３つの発音管４１、４２、４３が備えられている。それぞれの発音管には、１／４波長共鳴管型の共鳴気室Ｃ１，Ｃ２，Ｃ３が設けられており、これら共鳴気室の基本共鳴周波数Ｆ１，Ｆ２、Ｆ３が互いに、根音、長３度音、完全５度音となるようにされている。
【００４６】
本実施形態においては、それぞれの発音管４１、４２，４３の一端に、連結部４１３，４２３，４３３が延設されている。発音管４１，４２，４３は並ぶように配置されて、連結部４１３，４２３，４３３の部分でバンドやリベット、リング、筒などの固定部材により一体化され、扇状になっている。一体化された連結部の部分を手に持って、本実施形態の応援用打音器具を振ったり打ち付けたりすると、発音管４１，４２，４３が互いに打ち合わせられて、設定された根音、長３度音、完全５度音の音が出て、応援の効果が高められる。
すなわち、本実施形態では、打撃を加えると複数の発音管が互いに打ち合わせられるように、複数の発音管の端部が互いに接続された構成となっている。
【００４７】
このような構成によれば、片手で応援用打音器具４を持って、反対側の手や、頭、肩、ひざなどや、椅子、手すりなどの他の物品に打ち付けるようにして発音することができ、応援用打音器具４を片手で操作できるようになり、その取扱性を高めることができる。
【００４８】
また、共鳴気室を画成する管状部分の具体的な断面形状は、第１実施形態や第２実施形態のように、円形断面であっても良いし、第３実施形態のように矩形状であっても良いし、第４実施形態のように、Ｄ字型であっても良い。使用の様態や、発音性、意匠等を考慮して、これら断面形状を決定すればよい。
【００４９】
また、上記実施形態では、発音管の部分が所定の剛性を有する部材で構成される例を中心に説明したが、発音管の部分を可撓性を有する可撓管、すなわちホースにより構成することもできる。発音管の部分を可撓性に富むホースにより構成すれば、発音管部分が長尺となる場合であっても、折畳んで収納したり、発音管の端部のみを操作して音を出すことができて、応援用打音器具の携帯性・操作性が高められる。
【００５０】
上記実施形態で説明した応援用打音器具は、典型的には、野球やサッカー、バレーボールなどといったスポーツの応援に使用することができる。そして、スポーツ以外の応援に使用することもできる。
例えば、観劇、ショー、音楽会、コンサート、式典、イベント、集会、学会、会議、など、多数の人が集まる場において、パフォーマーや演奏家に対する応援の場面や、これらの場で表明された意見等に対し賛同の意を示して応援する場面などでも、本発明の応援用打音器具が使用できる。
【産業上の利用可能性】
【００５１】
本発明は例えばスポーツの応援に使用でき、競技者や観戦者の気持ちを盛り上げて応援の効果を高めることができて産業上の利用価値が高い。
【符号の説明】
【００５２】
１，２，３，４      応援用打音器具
１１，１２              発音管
１１１，１１２，１２１，１２２    管状部分
１１３、１２３                    板状部分
Ｃ１，Ｃ２，Ｃ３，Ｃ４            共鳴気室
【図１】
2015070986.tif 000003
【図２】
2015070986.tif 000004
【図３】
2015070986.tif 000005
【図４】
2015070986.tif 000006
【手続補正書】
【提出日】平成26年11月28日(2014.11.28)
【手続補正１】
【補正対象書類名】特許請求の範囲
【補正対象項目名】全文
【補正方法】変更
【補正の内容】
【特許請求の範囲】
【請求項１】
打ちあわせることにより音を発生する発音管を複数有する応援用打音器具であって、
前記発音管には、それぞれ所定の周波数で気柱共鳴が発生するように大気に連通した共鳴気室が設けられており、
それぞれの共鳴気室の基本共鳴周波数のうち一番低い第１周波数の音を根音として、
それぞれの共鳴気室の基本共鳴周波数のうち二番目に低い第２周波数の音が、長３度の音程となるようにされた、
応援用打音器具。
【請求項２】
少なくとも３つの共鳴気室が設けられており、
それぞれの共鳴気室の基本共鳴周波数のうち一番低い第１周波数の音を根音として、
それぞれの共鳴気室の基本共鳴周波数のうち三番目に低い第３周波数の音が、完全５度の音程となるようにされた、
請求項１に記載の応援用打音器具。
【請求項３】
第１周波数の音を発する共鳴気室と、第２周波数の音を発する共鳴気室とが、互いに別の発音管に設けられた、
請求項１または請求項２に記載の応援用打音器具。
【請求項４】
第１周波数の音を発する共鳴気室が、ヘルムホルツ型レゾネータ又は１／４波長共鳴管とされた、
請求項１または請求項２に記載の応援用打音器具。
【請求項５】
打撃を加えると複数の発音管が互いに打ち合わせられるように、複数の発音管の端部を互いに接続した、
請求項１または請求項２に記載の応援用打音器具。
【請求項６】
１つの発音管に、複数の共鳴気室が設けられた、
請求項１または請求項２に記載の応援用打音器具。
【請求項７】
第１周波数の音の音程がソまたはドである、
請求項１または請求項２に記載の応援用打音器具。
【手続補正２】
【補正対象書類名】明細書
【補正対象項目名】００１０
【補正方法】変更
【補正の内容】
【００１０】
さらに、第１発明や第２発明においては、第１周波数の音を発する共鳴気室と、第２周波数の音を発する共鳴気室とが、互いに別の発音管に設けられることが好ましい（第３発明）。また、第１発明や第２発明においては、第１周波数の音を発する共鳴気室が、ヘルムホルツ型レゾネータ又は１／４波長共鳴管とされることが好ましい（第４発明）。また、第１発明や第２発明においては、打撃を加えると複数の発音管が互いに打ち合わせられるように、複数の発音管の端部を互いに接続することが好ましい（第５発明）。また、第１発明や第２発明においては、１つの発音管に、複数の共鳴気室が設けられることが好ましい（第６発明）。また、第１発明や第２発明においては、第１周波数の音の音程をソまたはドとすることが好ましい（第７発明）。
【手続補正３】
【補正対象書類名】明細書
【補正対象項目名】００１２
【補正方法】変更
【補正の内容】
【００１２】
さらに、第３発明や第４発明のようにした場合には、応援用打音器具が大型化するのを効果的に抑制でき、応援用打音器具の操作性や携帯性を向上することもできる。また、第５発明の構成を取った場合には、応援用打音器具を片手で操作して発音することができるようになって、操作性が高められる。また、第６発明の構成とすれば、和音を構成する音を多数発音することができる。また、第７発明のようにすると、心理的働きかけの効果が高く、応援の効果が高められる。